(57)【特許請求の範囲】
【請求項１】
端子金具を保持するハウジングと、
前記ハウジングに固定されるハウジング固定部を有するとともに、回路基板に電気的に接続されつつ固定される基板固定部を有する固定部材と、
前記ハウジングに装着される装着部を有するとともに、前記固定部材の外側面を覆う被覆部を有し、さらに、前記被覆部が前記固定部材の外側面に当接する接点部を有するシールド部材とを備え、
前記装着部は、前記ハウジングの装着受部に圧入され、
前記ハウジングは、前記回路基板の表面から起立する方向に沿った４つの外壁面を有し、
前記シールド部材は、前記装着部を有して互いに対向する一対の第１シールド壁部と、前記被覆部を有して互いに対向する一対の第２シールド壁部とを有し、両第１シールド壁部および両第２シールド壁部が四隅で連結されることで、前記ハウジングを全周にわたって取り囲む角筒状をなし、前記４つの外壁面を覆うように配置される基板用コネクタ。
【請求項２】
前記シールド部材が、撓み変形可能なアース接続部を有している請求項１記載の基板用コネクタ。
【請求項３】
前記ハウジングが、前記端子金具を包囲する４辺の壁部によって角筒状をなし、前記４辺の壁部がそれぞれ前記外壁面を有しており、相手コネクタに対する嵌合方向が前記回路基板の面方向と略垂直な方向に規定されており、前記４辺の壁部のうち、対向する一対の第１壁部に、前記装着部が装着される装着受部を有し、残りの対向する一対の第２壁部に、前記ハウジング固定部が固定される固定受部を有している請求項１又は２記載の基板用コネクタ。
【発明の詳細な説明】
【技術分野】
【０００１】
本発明は、基板用コネクタに関する。
【背景技術】
【０００２】
特許文献１には、コンタクト（端子金具）を保持するハウジングと、ハウジングを取り囲む金属材料（シールド部材）とを備えたコネクタが開示されている。金属材料は、ハウジングの端面よりも突出する突出部を有している。金属材料の突出部はプリント基板に形成された嵌入孔に嵌入され、それに伴い、ハウジングがプリント基板に固着されるようになっている。また、金属材料の突出部はプリント基板に形成されたプリント配線に電気的に接続されてグランドに接続される。
【先行技術文献】
【特許文献】
【０００３】
【特許文献１】特開２００３−２２８５６号公報（第６図）
【発明の概要】
【発明が解決しようとする課題】
【０００４】
上記の場合、金属材料がハウジングに対する固定部分とプリント基板に対する固定部分（突出部）とを有しており、両固定部分の相対的な位置関係を厳密に定める必要があった。仮に、金属材料の両固定部分の位置関係が正確でないと、金属材料がプリント基板に固定されたときに、ハウジングが相手コネクタに適正な位置関係で向き合うことができず、その後の嵌合動作に支障を来たすおそれがあった。
【０００５】
本発明は上記のような事情に基づいて完成されたものであって、回路基板に固定されてグランドに接続される基板用コネクタの組み付け寸法の管理を容易に行うことができるようにすることを目的とする。
【課題を解決するための手段】
【０００６】
本発明の基板用コネクタは、端子金具を保持するハウジングと、前記ハウジングに固定されるハウジング固定部を有するとともに、回路基板に電気的に接続されつつ固定される基板固定部を有する固定部材と、前記ハウジングに装着される装着部を有するとともに、前記固定部材の外側面を前記装着部の装着方向で覆う被覆部を有し、さらに、前記被覆部が前記固定部材の外側面に当接する接点部を有するシールド部材とを備えているところに特徴を有する。
【発明の効果】
【０００７】
固定部材が基板固定部によって回路基板に固定されるとともに、被覆部の接点部が固定部材の外側面に当接することで、シールド部材が固定部材を介して回路基板にグランド接続される。シールド部材の装着部がハウジングに装着されると、被覆部が装着部の装着方向で固定部材の外側面を覆うため、装着部の装着量に応じて被覆部の被覆量を可変に調整することができ、シールド部材と固定部材との間の組み付け寸法の管理を容易に行うことができる。
【図面の簡単な説明】
【０００８】
【図１】本発明の実施例１の基板用コネクタの斜視図である。
【図２】基板用コネクタの正面図である。
【図３】図２のＡ−Ａ線断面図である。
【図４】図２のＢ−Ｂ線断面図である。
【図５】ハウジングの斜視図である。
【図６】ハウジングの平面図である。
【図７】シールド部材の被覆部が固定部材の外側面を被覆する被覆量が小さい態様を示す図２相当図である。
【発明を実施するための形態】
【０００９】
本発明の好ましい形態を以下に示す。
前記シールド部材が、撓み変形可能なアース接続部を有している。これによれば、ハウジングに対する装着部の装着位置が一定に定まらなくとも、アース接続部が撓み変形することによって金属製の筐体などとの接続を良好に維持することができる。
【００１０】
前記ハウジングが、前記端子金具を包囲する４辺の壁部によって角筒状をなし、相手コネクタに対する嵌合方向が前記回路基板の面方向と略垂直な方向に規定されており、前記４辺の壁部のうち、対向する一対の第１壁部に、前記装着部が装着される装着受部を有し、残りの対向する一対の第２壁部に、前記ハウジング固定部が固定される固定受部を有している。ハウジングの４辺の壁部のうち、対向する一対の第１壁部に装着部が装着される装着受部を有し、残りの対向する一対の第２壁部にハウジング固定部が固定される固定受部を有していることから、いわゆる垂直嵌合型の基板用コネクタにおけるハウジングの４辺の壁部を遊ばせることなく有効に活用することができる。
【００１１】
＜実施例１＞
以下、本発明の実施例１を図１〜図７によって説明する。本実施例１の基板用コネクタ１０は、合成樹脂製のハウジング２０と、金属製の固定部材５０と、金属製のシールド部材７０とを備えている。図２及び図３に示すように、ハウジング２０は、固定部材５０を介してプリント回路基板（以下、単に回路基板９０という）に固定される。また、ハウジング２０には、回路基板９０の面方向と略垂直な方向から相手コネクタ（図示せず）が嵌合される。なお、以下の説明において、上下方向は、回路基板９０の面方向と略垂直な方向であって、図６を除く各図の上下方向であり、左右方向は、図２及び図７の左右方向であり、前後方向は、図３及び図４の左右方向である。各方向は図１にまとめて示してある。
【００１２】
図５及び図６に示すように、ハウジング２０は、上面が開口した角筒状のフード部２１を有している。フード部２１は、後述する端子金具４０（図３を参照）を包囲する４辺の壁部を有し、詳細には、図１に示すように、左右方向で互いに対向する一対の第１壁部２２と、前後方向で互いに対向する一対の第２壁部２３とを有している。両第１壁部２２の前後両端と両第２壁部２３の左右両端とは、一体に連結され、フード部２１の四隅を構成している。また、両第１壁部２２及び両第２壁部２３は、フード部２１の外側面を構成して回路基板９０の表面から起立する上下方向に沿った外壁面２４を有している。
【００１３】
フード部２１の四隅のそれぞれの下端には、突出部２５が設けられている。各突出部２５は、上下方向に延出する角柱状をなし、下端がフード部２１の本体部分（各突出部２５を除く部分）の下端より下方に位置するように形成されている。図６に示すように、各突出部２５は、両第１壁部２２の前後両端から左右両方向に突出して前後方向で対向する第１壁面２６と、両第２壁部２３の左右両側から前後両方向に突出して左右方向で対向する第２壁面２７とを有している。
【００１４】
両第１壁部２２の下端部には、装着受部２８が設けられている。装着受部２８は、各突出部２５の第１壁面２６から互いに近づく向きに張り出してなる張出部２９と、第１壁部２２の外壁面２４との間に区画されている。第１壁部２２の外壁面２４と張出部２９との間には、スリット状の装着空間３０が上方に開放して形成されている。図４に示すように、装着空間３０の内奥面の上下方向途中には段差部３１が設けられ、段差部３１を境とする上下両側のうちの上側が下側よりも前後幅が大きくなっている。装着受部２８には、シールド部材７０の後述する装着部７５が圧入により装着される。
【００１５】
両第２壁部２３の下端部には、固定受部３２が設けられている。固定受部３２は、各突出部２５の第２壁面２７に凹設された受溝３３と、第２壁部２３の外壁面２４との間に区画されている。受溝３３は、突出部２５の壁厚内に配置され、上下方向に延出して上端に開口するスリット溝状の形態になっている。受溝３３の内奥面にも段差部３１と同様の段差部分が設けられている。固定受部３２には、固定部材５０の後述するハウジング固定部５１が圧入により装着される。
【００１６】
図６に示すように、フード部２１の内部には、両第１壁部２２と両第２壁部２３のそれぞれの内側面に肉盛りされた形態の端子保持部３４が設けられている。端子保持部３４の中心部には、端子金具４０を保持する保持空間３５が形成されている。
【００１７】
端子金具４０は導電金属製であって、図３に示すように、複数のピン状の内部導体４１と、各内部導体４１を包囲する角筒状の外部導体４２とを有している。内部導体４１は、フード部２１内に突出する部分と、回路基板９０の表面に沿って配置されて回路基板９０に電気的に接続される部分とを有している。外部導体４２は、端子保持部３４の保持空間３５の壁面に弾性的に係止される弾性係止部４３を有している。端子金具４０は、ハウジング２０が相手コネクタに嵌合されるに伴い、相手コネクタに保持された相手端子金具（図示せず）に電気的に接続される。
【００１８】
固定部材５０は平板状であって、図２及び図３に示すように、上下方向に沿って配置されるハウジング固定部５１と、ハウジング固定部５１の下端から略直角に屈曲して張り出す基板固定部５２とを有し、側面視Ｌ字形に形成されている。固定部材５０は、ハウジング固定部５１を介してフード部２１の固定受部３２に固定されるとともに、基板固定部５２を介して回路基板９０に固定される。この場合に、ハウジング固定部５１は第２壁部２３の外壁面２４に沿って配置され、基板固定部５２は回路基板９０の表面に沿って配置される（図３を参照）。
【００１９】
図２に示すように、ハウジング固定部５１の左右両端部には、係止突起５３が左右両側に張り出して設けられている。係止突起５３は上下２段で複数配置されており、上段の係止突起５３が下段の係止突起５３より大きく張り出している。各係止突起５３は、固定受部３２の受溝３３に上方から挿入され、受溝３３の内奥面に食い込んで係止される。
【００２０】
ハウジング固定部５１の上端部には、左右方向に延出する補強部５４が設けられている。補強部５４は、第２壁部２３の外壁面２４から離れる向きに膨出するリブ状に形成されている。また、ハウジング固定部５１の左右中央部には、その下端部から基板固定部５２にかけて延出する溝部５５が切り込むように設けられている。溝部５５は基板固定部５２の張出端に開口しており、基板固定部５２は溝部５５を介して左右に分断されている。さらに、図１に示すように、ハウジング固定部５１には、溝部５５の左右両側でかつ補強部５４の下方に、第２壁部２３の外壁面２４に向けて切り起こされた形態の切り起こし部５６が対をなして設けられている。
【００２１】
図１に示すように、シールド部材７０は、フード部２１を全周にわたって取り囲む角筒状をなし、第１壁部２２の外壁面２４を覆う一対の第１シールド壁部７１と、第２壁部２３の外壁面２４を覆う一対の第２シールド壁部７２とを有している。両第１シールド壁部７１の前後両端と両第２シールド壁部７２の左右両端とは、一体に連結され、シールド部材７０の四隅を構成している。このシールド部材７０は、一枚の導電性金属板を角筒状に折り曲げて形成される。
【００２２】
両第１シールド壁部７１のうち、一方の第１シールド壁部７１には、第１壁部２２の外壁面２４から離れる向きに大きく曲げ起こされた形態のアース接続部７３が設けられている。図２に示すように、アース接続部７３は、第１シールド壁部７１の上下方向略中央位置の支点部７４から斜め外側に片持ち状に延出する突片状をなし、支点部７４を支点として撓み変形可能とされている。アース接続部７３の先端部は、金属製の筐体１００に弾性的に接触してアース接続されるようになっている。
【００２３】
図４に示すように、両第１シールド壁部７１の下端部には、装着部７５が設けられている。装着部７５は、第１シールド壁部７１の下端部においてその上部より前後幅が小さくされた平板状をなし、固定部材５０のハウジング固定部５１と基本的構造が共通している。具体的には、装着部７５は、第１シールド壁部７１の外面に沿って配置され、装着部７５の左右両端部には、上下２段の突起７６が左右両側に張り出して設けられている。各突起７６は、装着受部２８の装着空間３０に上方から挿入され、装着空間３０の内奥面に食い込んで係止される。なお、装着部７５の前後幅は、ハウジング固定部５１の左右幅よりも小さくされている。
【００２４】
図２及び図３に示すように、両第２シールド壁部７２の下端部には、被覆部７７が設けられている。被覆部７７は、第２シールド壁部７２の下端部においてその上部より左右幅が小さくされた平板状をなし、第２壁部２３の外壁面２４から離れる向きに屈曲したあと下向きに垂れる形態になっている（図３を参照）。図２に示すように、被覆部７７の左右方向中央部には、上下方向に沿った割溝７８が設けられている。被覆部７７は、割溝７８を挟んだ左右両側に一対の分割片７９を有している。両分割片７９は、その上端部（第２シールド壁部７２の下端部）を支点として撓み変形可能とされている。なお、図１及び図２に示すように、シールド部材７０の四隅における被覆部７７と装着部７５との間には、下端に開口する切り込み部８０が設けられている。シールド部材７０がフード部２１に装着されたときに、切り込み部８０の内側に突出部２５が配置され、シールド部材７０が突出部２５と干渉するのを回避可能となっている。
【００２５】
図２及び図３に示すように、被覆部７７の両分割片７９には、接点部８１が設けられている。接点部８１は、両分割片７９の内側に膨出しつつ左右方向に延出するリブ状をなし、両分割片７９の下端部における同じ高さ位置に割溝７８を挟んで連続するように配置されている。
【００２６】
被覆部７７の両分割片７９は、固定部材５０のハウジング固定部５１の外側面を覆うように配置される。このとき、両分割片７９の撓み動作を伴った後、接点部８１がハウジング固定部５１の外側面に弾性的に接触し、シールド部材７０が固定部材５０に電気的に接続されるようになっている（図３を参照）。
【００２７】
次に、本実施例１の基板用コネクタ１０の作用を説明する。
組み付けに際し、両固定部材５０のハウジング固定部５１がそれぞれ対応する固定受部３２に第２壁部２３の外壁面２４に沿いつつ上方から挿入されて固定される。続いて、シールド部材７０がフード部２１に上方から外嵌されて装着される。シールド部材７０がフード部２１に装着されると、一対の装着部７５がそれぞれ対応する装着受部２８に第１壁部２２の外壁面２４に沿いつつ上方から挿入される（図４を参照）。このとき、装着受部２８に対する固定部材５０の装着位置（挿入位置）は、各突起７６が段差部３１に当て止めされるまでの間で上下方向の適宜位置に設定される。
【００２８】
また、シールド部材７０がフード部２１に装着されると、一対の被覆部７７がそれぞれ対応するハウジング固定部５１の上端部の外側面を上方（装着部７５の装着方向）から覆うとともに、接点部８１がハウジング固定部５１の外側面に弾性的に接触する（図１〜図３を参照）。接点部８１は、ハウジング固定部５１の外側面における補強部５４より上方となる上端部に対し左右方向に沿って当接する。この場合において、ハウジング固定部５１の外側面に対する被覆部７７の被覆量は、装着受部２８に対するシールド部材７０の装着量に応じて定まる。同様に、ハウジング固定部５１の外側面に対する接点部８１の接触位置も、固定受部３２に対する固定部材５０の装着量に応じて定まり、上下方向に可変に調整可能となっている。
【００２９】
例えば、図７に示すように、シールド部材７０の装着部７５が装着受部２８に図２の場合より浅く装着され、ハウジング固定部５１の外側面に対する被覆部７７の被覆量が小さくなると、接点部８１がハウジング固定部５１の外側面の上端近傍に接触することになる。したがって、装着受部２８に対する装着部７５の装着量が変わっても、シールド部材７０と固定部材５０とが接点部８１を介して接触する状態を良好に維持することができる。
【００３０】
こうして固定部材５０及びシールド部材７０がハウジング２０に組み付けられた後、ハウジング２０が回路基板９０に支持され、固定部材５０の基板固定部５２が半田付けされる。これにより、固定部材５０が回路基板９０に固定されるとともに、シールド部材７０が固定部材５０を介して回路基板９０にグランド接続される。
【００３１】
以上説明したように実施例１に係る基板用コネクタ１０によれば、固定部材５０が基板固定部５２によって回路基板９０に固定されるとともに、被覆部７７の接点部８１が固定部材５０の外側面に当接することにより、シールド部材７０が固定部材５０を介して回路基板９０にグランド接続される。シールド部材７０の装着部７５がハウジング２０のフード部２１に装着されると、被覆部７７が装着部７５の装着方向で固定部材５０の外側面を覆うため、装着部７５の装着量に応じて被覆部７７の被覆量を可変に調整することができ、シールド部材７０と固定部材５０との間の組み付け寸法の管理を容易に行うことができる。
【００３２】
また、シールド部材７０が、金属製の筐体１００にアース接続される撓み変形可能なアース接続部７３を有している。これによれば、ハウジング２０に対する装着部７５の装着位置が一定に定まらなくとも、アース接続部７３が撓み変形することによって筐体１００との接続を良好に維持することができる。
【００３３】
さらに、ハウジング２０が、端子金具４０を包囲する４辺の壁部によって角筒状をなし、相手コネクタに対する嵌合方向が回路基板９０の面方向と略垂直な方向に規定されており、４辺の壁部のうち、対向する一対の第１壁部２２に、装着部７５が装着される装着受部２８を有し、残りの対向する一対の第２壁部２３に、ハウジング固定部５１が固定される固定受部３２を有している。これによれば、いわゆる垂直嵌合型の基板用コネクタ１０におけるハウジング２０の４辺の壁部（両第１壁部２２及び両第２壁部２３）を遊ばせることなく有効に活用することができる。
【００３４】
＜他の実施例＞
本発明の他の実施例を簡単に説明する。
（１）シールド部材からアース接続部を省略してもよい。
（２）回路基板が固定孔を有し、固定部材がピン状又は片状の基板固定部を有し、基板固定部が回路基板の固定孔に挿入されて半田固定されるとともに、グランドに接続される構成であってもよい。
（３）装着部と被覆部の少なくとも一方は、シールド部材に１つだけ設けられる構成であってもよい。
（４）シールド部材の装着部が装着受部に弾性的に係止されて装着される構成であってもよい。
（５）本発明は、ハウジングが相手コネクタに対して回路基板の面方向と平行な方向から嵌合される水平嵌合型の基板用コネクタにも適用可能である。
【符号の説明】
【００３５】
１０…基板用コネクタ
２０…ハウジング
２１…フード部
２２…第１壁部
２３…第２壁部
２８…装着受部
３２…固定受部
４０…端子金具
５０…固部部材
５１…ハウジング固定部
５２…基板固定部
７０…シールド部材
７３…アース接続部
７５…装着部
７７…被覆部
８１…接点部
９０…回路基板
【図１】
0006663565.tif 000002
【図２】
0006663565.tif 000003
【図３】
0006663565.tif 000004
【図４】
0006663565.tif 000005
【図５】
0006663565.tif 000006
【図６】
0006663565.tif 000007
【図７】
0006663565.tif 000008